(57)【特許請求の範囲】
【請求項１】
局側装置とユーザ端末との間の通信を中継する通信装置であって、
前記局側装置との通信を行う通信部と、
前記通信装置の動作モードとして、通常のデータ信号が送信される通常モードと、緊急情報を含む緊急信号が送信される緊急モードとを選択的に設定する制御部と、
前記通信部に電力を供給する電力供給部と
を備え、
前記通信部は、前記通常のデータ信号又は前記緊急信号を光信号に変換して送信する光モジュールと、前記緊急信号を無線通信によって送信する無線モジュールとを有し、
前記電力供給部から出力される前記電力のオンオフ制御により、前記通信部から送信される前記緊急信号が生成され、
前記通常モードが設定された場合に、前記通常のデータ信号が、前記通信部から前記局側装置に送信され、
前記緊急モードが設定された場合に、前記制御部が、前記電力供給部による電力供給可能時間が予め定められた設定時間以上であると判断したとき、前記緊急信号は、前記光モジュール及び前記無線モジュールの両方から送信される
ことを特徴とする通信装置。
【請求項２】
局側装置とユーザ端末との間の通信を中継する通信装置であって、
前記局側装置との通信を行う通信部と、
前記通信装置の動作モードとして、通常のデータ信号が送信される通常モードと、緊急情報を含む緊急信号が送信される緊急モードとを選択的に設定する制御部と、
前記通信部に電力を供給する電力供給部と
を備え、
前記通信部は、前記通常のデータ信号又は前記緊急信号を光信号に変換して送信する光モジュールと、前記緊急信号を無線通信によって送信する無線モジュールとを有し、
前記電力供給部から出力される前記電力のオンオフ制御により、前記通信部から送信される前記緊急信号が生成され、
前記通常モードが設定された場合に、前記通常のデータ信号が、前記通信部から前記局側装置に送信され、
前記緊急モードが設定された場合に、前記制御部は、前記電力供給部による電力供給可能時間に応じて、前記光モジュール及び前記無線モジュールのいずれかに前記緊急信号を送信させる
ことを特徴とする通信装置。
【請求項３】
前記緊急情報は、救助を要請するための救助要請情報を含むことを特徴とする請求項１又は２に記載の通信装置。
【請求項４】
前記制御部が、前記動作モードを、前記通常モードから前記緊急モードに切り替えた場合、前記制御部は、前記通常のデータ信号の前記通信部への転送を停止することを特徴とする請求項１から３のいずれか１項に記載の通信装置。
【請求項５】
前記電力供給部は、前記電力を供給するバッテリを有することを特徴とする請求項１から４のいずれか１項に記載の通信装置。
【請求項６】
前記光モジュールは、前記通信装置に対して着脱自在であることを特徴とする請求項１から５のいずれか１項に記載の通信装置。
【請求項７】
前記緊急信号の送信のオン状態及びオフ状態を切り替えるスイッチ部をさらに備え、
前記スイッチ部がオン状態である間、前記通信部から前記緊急信号が送信される
ことを特徴とする請求項１から６のいずれか１項に記載の通信装置。
【請求項８】
前記緊急情報は、前記ユーザ端末から入力されたユーザ情報を含むことを特徴とする請求項１から７のいずれか１項に記載の通信装置。
【請求項９】
前記緊急信号は、モールス信号及び遭難信号の少なくともいずれかを含むことを特徴とする請求項１から８のいずれか１項に記載の通信装置。
【請求項１０】
前記ユーザ端末との間で通信を行う端末インターフェース部をさらに備えることを特徴とする請求項１から９のいずれか１項に記載の通信装置。
【請求項１１】
光ファイバーケーブルに接続されており、前記光ファイバーケーブルを介して局側装置と通信するとともに前記局側装置とユーザ端末との間の通信を中継する通信装置と、
前記光ファイバーケーブルに接続されたフィルタと前記フィルタに接続されたモニタ端子とを有し、前記局側装置と前記通信装置との間に備えられており前記光ファイバーケーブルを介して前記通信装置と通信する緊急信号受信装置と
を備え、
前記通信装置は、動作モードとして、通常のデータ信号を送信する通常モードと、緊急情報を含む緊急信号を送信する緊急モードとを選択的に設定し、前記動作モードを前記通常モードに設定したときに、前記通常のデータ信号を前記光ファイバーケーブルを介して前記局側装置に送信し、前記動作モードを前記緊急モードに設定したときに、前記緊急信号を、前記光ファイバーケーブルを介して前記緊急信号受信装置に送信し、
前記緊急信号受信装置は、前記通信装置から送信された前記緊急信号を、前記光ファイバーケーブルを介して受信し、
前記フィルタは、前記緊急信号受信装置に入力された前記緊急信号を前記モニタ端子に分波する
ことを特徴とする緊急信号送信システム。
【請求項１２】
請求項１から１０のいずれか１項に記載の通信装置と、
前記通信装置から送信された前記緊急信号を受信する緊急信号受信装置と
を備えたことを特徴とする緊急信号送信システム。
【発明の詳細な説明】
【技術分野】
【０００１】
本発明は、局側装置と通信する通信装置に関する。
【背景技術】
【０００２】
近年、ＰＣ（Ｐｅｒｓｏｎａｌ  Ｃｏｍｐｕｔｅｒ）及びスマートフォンなどの高性能なインターネット接続端末を用いた動画視聴などを実現するための大容量データ通信サービスの需要が高まっている。例えば、高速通信が可能な光通信サービスを提供するための光回線（光ファイバーケーブル）が光通信サービスの加入者宅に導入されており、この光回線が、加入者宅に備えられたルータ又は光回線終端装置などに接続される。これにより、各加入者宅において、高速通信が可能な光通信などのインターネットサービスを利用することができる。さらに、近年では、地震などの大規模災害に備えたインターネットサービスが提供されており、災害発生時に、ＰＣ及びスマートフォンによってＳＮＳ（Ｓｏｃｉａｌ  Ｎｅｔｗｏｒｋｉｎｇ  Ｓｅｒｖｉｃｅ）及び災害情報用のウェブサイトなどへの救助要請及び生存情報の伝達が可能な通信環境が整備されてきている。また、遭難時に、位置情報、氏名などを含む救助信号（遭難信号）を救助センターに通知するための救助信号発信装置が提案されている（例えば、特許文献１参照）。
【先行技術文献】
【特許文献】
【０００３】
【特許文献１】特開２００９−４５３８０号公報
【発明の概要】
【発明が解決しようとする課題】
【０００４】
しかしながら、特許文献１のように、救助信号発信装置によって救助信号としての無線信号を防災センターへ送信する場合、電波が伝達されにくい環境では、救助センターへの救助信号の伝達の実現性が低下する。そのため、例えば、災害発生時の住宅及びオフィスのような建物内から救助要請を行う際に、その建物外の第三者に対する、位置情報又は生存状況などの緊急情報の通知（緊急信号の伝達）の実現性を高めることが望まれる。
【０００５】
そこで、本発明の目的は、緊急情報通知（緊急信号の伝達）の実現性を高めることである。
【課題を解決するための手段】
【０００６】
本発明の一態様に係る通信装置は、局側装置とユーザ端末との間の通信を中継する通信装置であって、前記局側装置との通信を行う通信部と、前記通信装置の動作モードとして、通常のデータ信号が送信される通常モードと、緊急情報を含む緊急信号が送信される緊急モードとを選択的に設定する制御部と、前記通信部に電力を供給する電力供給部とを備え、前記通信部は、前記通常のデータ信号又は前記緊急信号を光信号に変換して送信する光モジュールと、前記緊急信号を無線通信によって送信する無線モジュールとを有し、前記電力供給部から出力される前記電力のオンオフ制御により、前記通信部から送信される前記緊急信号が生成され、前記通常モードが設定された場合に、前記通常のデータ信号が、前記通信部から前記局側装置に送信され、前記緊急モードが設定された場合に、前記制御部が、前記電力供給部による電力供給可能時間が予め定められた設定時間以上であると判断したとき、前記緊急信号は、前記光モジュール及び前記無線モジュールの両方から送信されることを特徴とする。
本発明の他の態様に係る通信装置は、局側装置とユーザ端末との間の通信を中継する通信装置であって、前記局側装置との通信を行う通信部と、前記通信装置の動作モードとして、通常のデータ信号が送信される通常モードと、緊急情報を含む緊急信号が送信される緊急モードとを選択的に設定する制御部と、前記通信部に電力を供給する電力供給部とを備え、前記通信部は、前記通常のデータ信号又は前記緊急信号を光信号に変換して送信する光モジュールと、前記緊急信号を無線通信によって送信する無線モジュールとを有し、前記電力供給部から出力される前記電力のオンオフ制御により、前記通信部から送信される前記緊急信号が生成され、前記通常モードが設定された場合に、前記通常のデータ信号が、前記通信部から前記局側装置に送信され、前記緊急モードが設定された場合に、前記制御部は、前記電力供給部による電力供給可能時間に応じて、前記光モジュール及び前記無線モジュールのいずれかに前記緊急信号を送信させることを特徴とする。
本発明の他の態様に係る緊急信号送信システムは、前記通信装置と、前記通信装置から送信された前記緊急信号を受信する緊急信号受信装置とを備えたことを特徴とする。
本発明の他の態様に係る緊急信号送信システムは、光ファイバーケーブルに接続されており、前記光ファイバーケーブルを介して局側装置と通信するとともに前記局側装置とユーザ端末との間の通信を中継する通信装置と、前記光ファイバーケーブルに接続されたフィルタと前記フィルタに接続されたモニタ端子とを有し、前記局側装置と前記通信装置との間に備えられており前記光ファイバーケーブルを介して前記通信装置と通信する緊急信号受信装置とを備え、前記通信装置は、動作モードとして、通常のデータ信号を送信する通常モードと、緊急情報を含む緊急信号を送信する緊急モードとを選択的に設定し、前記動作モードを前記通常モードに設定したときに、前記通常のデータ信号を前記光ファイバーケーブルを介して前記局側装置に送信し、前記動作モードを前記緊急モードに設定したときに、前記緊急信号を、前記光ファイバーケーブルを介して前記緊急信号受信装置に送信し、前記緊急信号受信装置は、前記通信装置から送信された前記緊急信号を、前記光ファイバーケーブルを介して受信し、前記フィルタは、前記緊急信号受信装置に入力された前記緊急信号を前記モニタ端子に分波することを特徴とする。
【発明の効果】
【０００７】
本発明によれば、緊急情報通知（緊急信号の伝達）の実現性を高めることができる。
【図面の簡単な説明】
【０００８】
【図１】本発明の実施の形態１に係る通信装置としてのブロードバンドルータを含む通信システムの構成を概略的に示す図である。
【図２】光クロージャの内部構成を概略的に示す図である。
【図３】ブロードバンドルータの構成を概略的に示すブロック図である。
【図４】通常モードにおけるブロードバンドルータの動作を概略的に示す図である。
【図５】緊急モードにおけるブロードバンドルータの動作を概略的に示す図である。
【図６】実施の形態２に係る通信装置としてのブロードバンドルータの構成を概略的に示すブロック図である。
【図７】変形例に係るブロードバンドルータにおける制御部の構成を示すブロック図である。
【発明を実施するための形態】
【０００９】
以下に、本発明の実施の形態を図に基づいて説明する。
実施の形態１．
図１は、本発明の実施の形態１に係る通信装置としてのブロードバンドルータ１を含む通信システムの構成を概略的に示す図である。図１に示される通信システムは、インターネットサービスを提供するためのシステムの他に、地震などの災害発生時において緊急信号を送信する緊急信号送信システム（「救助信号通知ネットワーク」とも称する。）としても機能する。
【００１０】
緊急信号は、緊急情報を含む信号（異常発生通知信号、救助信号等）である。例えば、緊急情報は、通信回線の異常発生情報又は災害発生時における救助要請情報などを含む。本実施の形態では、緊急信号の一例として、救助要請情報を含む救助信号を用いた場合の例を説明する。
【００１１】
図１に示されるＷＡＮ（Ｗｉｄｅ  Ａｒｅａ  Ｎｅｔｗｏｒｋ）は、例えば、通信装置（回線終端装置）としてのブロードバンドルータ１（「ルータ」とも称する。）と、光クロージャ２（「クロージャ」とも称する。）と、局側装置３（「局側通信装置」とも称する。）とによって構成される。光クロージャ２は、局側装置３と加入者宅１ａとの間に備えられている。本実施の形態では、光クロージャ２は、緊急信号送信システムにおいてブロードバンドルータ１から送信された緊急信号を受信する緊急信号受信装置の１つとして機能する。この場合、緊急信号送信システムは、ブロードバンドルータ１と、光クロージャ２とを含む。
【００１２】
ブロードバンドルータ１は、通信事業者３ａが提供する光回線網７（光回線サービス）に加入している複数の加入者宅１ａ内に備えられている。ブロードバンドルータ１は、局側装置３とユーザ端末４との間の通信を中継する。
【００１３】
図２は、光クロージャ２の内部構成を概略的に示す図である。
光クロージャ２は、光カプラ２ａと、複数のフィルタ２ｂと、複数のモニタ端子２ｃとを有する。モニタ端子２ｃは、フィルタ２ｂに接続される。光クロージャ２は、ブロードバンドルータ１から送信された信号（電波を含む）を受信する。
【００１４】
光カプラ２ａは、光ファイバーケーブル５を分岐する。分岐された複数の光ファイバーケーブル５は、フィルタ２ｂを介して各加入者宅１ａ内のブロードバンドルータ１に接続されている。
【００１５】
フィルタ２ｂは、光ファイバーケーブル５によって伝送される光信号に対するフィルタリングを行う。例えば、フィルタ２ｂは、特定の周波数（波長）を持つ緊急信号用の光信号を分離し、モニタ端子２ｃに分波する。
【００１６】
モニタ端子２ｃは、ブロードバンドルータ１から送信された救助信号としての光信号を検出するための端子である。本実施の形態では、緊急信号検出装置８をモニタ端子２ｃに接続することにより、救助信号用の光信号（緊急情報）を検出することができる。例えば、緊急信号検出装置８は、光パワーメータなどの光通信用測定器又は光パワーメータ機能を持つ携帯情報端末（例えば、スマートフォン）である。
【００１７】
局側装置３は、光回線網７を設置及び運用する通信事業者３ａの基地局（局舎）に備えられている。ブロードバンドルータ１と局側装置３とは、光クロージャ２等を介して、伝送媒体（伝送路）としての光ファイバーケーブル５によって互いに通信可能に接続されている。局側装置３は、上位ネットワークとしてのインターネット網６に接続されている。
【００１８】
各加入者宅１ａ内におけるＬＡＮ（Ｌｏｃａｌ  Ａｒｅａ  Ｎｅｔｗｏｒｋ）は、例えば、ブロードバンドルータ１と、少なくとも１つのユーザ端末４とによって構成される。本実施の形態では、ブロードバンドルータ１は、ルータ機能を有し、複数のユーザ端末４と通信可能に接続される。
【００１９】
ユーザ端末４は、例えば、ＰＣ（Ｐｅｒｓｏｎａｌ  Ｃｏｍｐｕｔｅｒ）、スマートフォン等である。ユーザ端末４は、少なくとも有線通信及び無線通信のいずれかによって、ブロードバンドルータ１等を介してインターネット網６にアクセスすることができる。
【００２０】
図３は、ブロードバンドルータ１の構成を概略的に示すブロック図である。
ブロードバンドルータ１は、局側装置３と通信する通信部としての局側ＩＦ（インターフェース）部１１（ＷＡＮ側インターフェース）と、制御部１２と、電力供給部１３と、ユーザ端末４と通信する端末ＩＦ部１４（ＬＡＮ側インターフェース）と、スイッチ部１５とを有する。
【００２１】
ブロードバンドルータ１は、複数の動作モードを有する。複数の動作モードには、通常のデータ信号であるデータ信号ｄ１（通信パケット）が局側に送信される通常モードと、緊急情報を含む緊急信号が局側に送信される緊急モードとが含まれる。
【００２２】
通常モードでは、ユーザ端末４から送信されたデータ信号ｄ１（通信パケット）が、局側ＩＦ部１１に転送される。すなわち、通常モードは、ユーザ端末４が局側装置３及びインターネット網６を介して他の通信端末と通信（通常のデータ信号の送受信）を行うための動作モードである。例えば、通常モードでは、光回線網７における通信速度は、１Ｇｂｐｓ（Ｇｉｇａｂｉｔｓ  ｐｅｒ  ｓｅｃｏｎｄ）である。
【００２３】
緊急モードは、例えば、地震等の災害発生時に、ブロードバンドルータ１から加入者宅１ａの外部（例えば、光クロージャ２、局側装置３など）に救助信号を送信し、救助要請等を行うための動作モード（救助信号通知機能）である。本実施の形態では、救助信号としての光信号がブロードバンドルータ１の外部（局側）に送信される。
【００２４】
局側ＩＦ部１１は、災害発生時等に、救助信号を送信する少なくとも１つの救助信号送信モジュール（緊急信号送信モジュール）を有する。本実施の形態では、局側ＩＦ部１１は、救助信号送信モジュールとして、光モジュール１１ａ（「光トランシーバ」とも称する。）を有する。
【００２５】
局側ＩＦ部１１（例えば、光モジュール１１ａ）は、光ファイバーケーブル５及び光クロージャ２を介して局側装置３と通信可能に接続されている。局側ＩＦ部１１は、光信号と電気信号とを相互に変換することができる。本実施の形態では、光モジュール１１ａは、データ信号ｄ１（通信パケット）を含む電気信号を光信号に変換することができ、救助信号としての光信号を生成することができる。したがって、局側ＩＦ部１１（例えば、光モジュール１１ａ）は、光信号を生成し、ブロードバンドルータ１の外部に送信することができる。
【００２６】
光モジュール１１ａは、ブロードバンドルータ１内の基板上（例えば、局側ＩＦ部１１を構成する基板上）に直接実装することができる。ただし、ブロードバンドルータ１に対して着脱自在な光モジュール１１ａを用いてもよい。この場合、例えば、光モジュール１１ａとして、ＧＢＩＣ（Ｇｉｇａｂｉｔ  Ｉｎｔｅｒｆａｃｅ  Ｃｏｎｖｅｒｔｅｒ）、ＳＦＰ（Ｓｍａｌｌ  Ｆｏｒｍ  Ｆａｃｔｏｒ  Ｐｌｕｇｇａｂｌｅ）、及びＳＦＰ＋（Ｓｍａｌｌ  Ｆｏｒｍ−Ｆａｃｔｏｒ  Ｐｌｕｇｇａｂｌｅ  Ｐｌｕｓ）などのような、ブロードバンドルータ１に対して着脱自在なモジュールを用いることができる。救助信号を送信するモジュールとして、着脱自在な光モジュール１１ａを用いることにより、他のブロードバンドルータ１又は救助信号送信用端末に光モジュール１１ａを取り付けて、救助信号を送信することができる。
【００２７】
制御部１２は、装置管理部１２ａと、データ転送部１２ｂとを有する。制御部１２（例えば、データ転送部１２ｂ）は、局側ＩＦ部１１又は端末ＩＦ部１４から受信した信号の転送を制御することができる。すなわち、制御部１２（例えば、データ転送部１２ｂ）は、ユーザ端末４から送信されたデータ信号ｄ１（通信パケット）の転送を制御することができる。
【００２８】
制御部１２（例えば、装置管理部１２ａ）は、ブロードバンドルータ１の複数の動作モードの内のいずれかの動作モードを選択することができる。本実施の形態では、制御部１２（例えば、装置管理部１２ａ）は、ブロードバンドルータ１の動作モードとして、通常モードと緊急モードとを選択的に設定することができる。
【００２９】
制御部１２（例えば、装置管理部１２ａ）が、動作モードを通常モードに設定したときに、通常のデータ信号が、局側ＩＦ部１１から局側装置３に送信される。一方、制御部１２（例えば、装置管理部１２ａ）が、動作モードを緊急モードに設定したときに、緊急信号が、局側ＩＦ部１１から局側（例えば、光クロージャ２）に送信される。
【００３０】
電力供給部１３は、電源回路１３ａと、電源ＩＦ部１３ｂと、バッテリ１３ｃ（内部電源）とを有する。ただし、バッテリ１３ｃは、ブロードバンドルータ１に備えられていなくてもよい。電力供給部１３は、局側ＩＦ部１１に電力を供給する。例えば、ブロードバンドルータ１が電源として外部電源を用いる場合、商用電源及び外部バッテリのような外部電源から供給された電力は、電源ＩＦ部１３ｂ及び電源回路１３ａを介して局側ＩＦ部１１に供給される。一方、ブロードバンドルータ１が電源としてバッテリ１３ｃを用いる場合、バッテリ１３ｃから供給された電力は、電源回路１３ａを介して局側ＩＦ部１１に供給される。
【００３１】
端末ＩＦ部１４は、有線通信及び無線通信の少なくともいずれかによって、ユーザ端末４との間で通信を行う。
【００３２】
スイッチ部１５は、救助信号の送信のオン状態及びオフ状態を切り替えることができる。例えば、スイッチ部１５がオン状態である間、局側ＩＦ部１１（例えば、光モジュール１１ａ）から救助信号が送信される。具体的には、スイッチ部１５がオン状態である間、制御部１２（例えば、装置管理部１２ａ）は、救助信号を生成するため、電源回路１３ａを制御する。
【００３３】
次に、通常モード（通常動作時）のブロードバンドルータ１の動作（ユーザ端末４からのデータ送信）について説明する。
図４は、通常モードにおけるブロードバンドルータ１の動作（データ信号ｄ１及び電力の流れ）を概略的に示す図である。
【００３４】
通常モードでは、ユーザ端末４から送信されたデータ信号ｄ１（通信パケット）は、ブロードバンドルータ１の端末ＩＦ部１４を介してデータ転送部１２ｂに入力される。データ転送部１２ｂは、データ信号ｄ１を光モジュール１１ａに転送する。
【００３５】
通常モードにおいて、ブロードバンドルータ１の電源として外部電源を用いる場合、外部電源から供給された電力は、電源ＩＦ部１３ｂ及び電源回路１３ａを介して局側ＩＦ部１１に供給される。
【００３６】
光モジュール１１ａは、データ転送部１２ｂから転送されてきた電気信号（データ信号ｄ１）を、光信号に変換し、局側（例えば、インターネット網６）に転送する。
【００３７】
一方、ユーザ端末４が、局側（例えば、インターネット網６）からデータ信号を受信する場合、局側から伝送されてきた光信号がブロードバンドルータ１の局側ＩＦ部１１に入力される。光モジュール１１ａは、局側から伝送されてきた光信号を電気信号に変換する。変換された電気信号（データ信号）は、データ転送部１２ｂ及び端末ＩＦ部１４を介してユーザ端末４に転送される。例えば、ユーザ端末４と端末ＩＦ部１４とが無線通信を行う場合には、電気信号から変換された電波が端末ＩＦ部１４からユーザ端末４に転送される。
【００３８】
次に、緊急モード（例えば、災害発生時）のブロードバンドルータ１の動作（救助信号通知機能）について説明する。
図５は、緊急モードにおけるブロードバンドルータ１の動作を概略的に示す図である。
【００３９】
地震等の災害発生時に、制御部１２（例えば、装置管理部１２ａ）が、動作モードとして緊急モードを選択した場合、ブロードバンドルータ１は、緊急モードとして動作する。
【００４０】
例えば、制御部１２（例えば、装置管理部１２ａ）は、局側装置３から光ファイバーケーブル５を介して切替通知（緊急モード移行通知）を受信することによって、動作モードとして緊急モードを選択する。ただし、ユーザ端末４から入力される切替設定（モード切替設定）によって、制御部１２が緊急モードを選択するようにしてもよい。さらに、ブロードバンドルータ１の電源オン時（電源スイッチオンの状態）において、外部電源からの電力供給の停止が検出された場合（例えば、予め定められた期間、電力供給が停止した場合）に、制御部１２が緊急モードを選択するようにしてもよい。さらに、ユーザによってブロードバンドルータ１（例えば、スイッチ部１５）が直接操作された場合に、制御部１２が緊急モードを選択するようにしてもよい。
【００４１】
本実施の形態では、通常モードから緊急モードに移行する場合の動作について説明する。制御部１２が、動作モードを、通常モードから緊急モードに切り替えた場合、ブロードバンドルータ１は、ユーザ端末４から送信された通常のデータ信号ｄ１の転送を停止する。例えば、制御部１２（例えば、データ転送部１２ｂ）は、データ信号ｄ１の局側ＩＦ部１１への転送を停止する。ただし、通常モードから緊急モードに移行した場合に、ブロードバンドルータ１が、ユーザ端末４からのデータ信号ｄ１の受信を停止するようにしてもよい。例えば、制御部１２が端末ＩＦ部１４の動作（機能）を停止させてもよい。これにより、緊急モードでは、通常のデータ信号ｄ１は、局側ＩＦ部１１から局側に転送されない。
【００４２】
緊急モードにおいて、ブロードバンドルータ１の電源としてバッテリ１３ｃを用いる場合、バッテリ１３ｃから供給された電力は、電源回路１３ａを介して局側ＩＦ部１１に供給される。
【００４３】
緊急モードでは、局側ＩＦ部１１は、救助信号としての光信号をブロードバンドルータ１の外部（例えば、光クロージャ２）に送信することができる。電力供給部１３から出力される電力のオンオフ制御により、局側ＩＦ部１１から送信される救助信号が生成される。例えば、装置管理部１２ａは、光モジュール１１ａの設定を常時発光状態に変更し、電源回路１３ａの出力をオンオフ制御する。これにより、光モジュール１１ａは、電源回路１３ａの出力のオンオフに応じて発光及び消光する。
【００４４】
光モジュール１１ａの発光動作及び消光動作（すなわち、光信号）によって、例えば救助信号としてのモールス信号、遭難信号（メーデー）等を生成することができる。本実施の形態では、救助信号としての光信号は、光クロージャ２に送信される。
【００４５】
ブロードバンドルータ１の外部に送信される救助信号は、予め設定されていることが望ましい。救助信号が予め定められていることにより、緊急モードへの移行後に、自動的に救助信号が送信される。緊急モードにおいて、救助信号が定期的に予め定められた期間自動送信されてもよい。スイッチ部１５のオンによって、緊急モードが選択される場合には、ユーザがスイッチ部１５をオフにすることにより、緊急モードを解除し、救助信号の送信を停止することができる。これにより、ブロードバンドルータ１の消費電力を抑制することができる。
【００４６】
光クロージャ２に入力された救助信号としての光信号は、フィルタ２ｂによってモニタ端子２ｃに分波される。本実施の形態では、緊急信号検出装置８をモニタ端子２ｃに接続することにより、救助信号用の光信号（緊急情報）を検出することができる。例えば、地震等の災害発生時に、災害救助隊が緊急信号検出装置８を用いて救助信号を検出することにより、災害救助隊は、救助信号の送信元である加入者宅１ａ内のユーザが救助を求めていることを認識することができる。救助信号には、救助要求のためのメッセージが含まれることが望ましい。例えば、救助信号は、モールス信号及び遭難信号の少なくともいずれかを含むことが望ましい。
【００４７】
救助信号に含まれる緊急情報には、ユーザ端末４から入力されたユーザ情報を含めることができる。ユーザ情報は、救助の要請者及びその要請者の位置を特定可能な情報であることが望ましい。例えば、ユーザ情報は、救助要請者の心拍数等の生存情報、電話番号、又はブロードバンドルータ１のＭＡＣ（Ｍｅｄｉａ  Ａｃｃｅｓｓ  Ｃｏｎｔｒｏｌ）アドレスなどである。救助要請者の心拍数は、ユーザ端末４（例えば、スマートフォン）によって計測される。心拍数等のユーザ情報を入力するための入力部をブロードバンドルータ１に備えてもよい。これらのユーザ情報は、モールス信号としてブロードバンドルータ１の外部に送信することができる。制御部１２（例えば、装置管理部１２ａ）は、ユーザ端末４から入力されたユーザ情報に基づいて、救助信号を送信するか否かを選択してもよい。
【００４８】
本実施の形態では、通常モードから緊急モードへ移行した場合のブロードバンドルータ１の動作について説明したが、ブロードバンドルータ１における通常の通信（通常モード）が停止している状態（停止モード）から緊急モードに移行することも可能である。
【００４９】
例えば、電波が伝達されにくい地域では、無線通信によって救助信号の送信を試みても、ブロードバンドルータ１の外部（例えば、光クロージャ２）への救助信号の伝達の実現性が低い。これに対し、実施の形態１に係るブロードバンドルータ１によれば、光ファイバーケーブル５を介してブロードバンドルータ１の外部（例えば、光クロージャ２）に緊急情報を含む緊急信号を送信するので、ブロードバンドルータ１の外部（例えば、災害救助隊）への緊急情報通知（救助信号などの緊急信号の伝達）の実現性を高めることができる。
【００５０】
ブロードバンドルータ１において、緊急モード時に、ユーザ端末４から送信された通常のデータ信号ｄ１の転送又は受信を停止することにより、ブロードバンドルータ１の消費電力を抑制することができる。これにより、外部電源が使用できない場合であっても、バッテリ１３ｃを用いて長時間にわたって緊急信号を送信することができる。
【００５１】
実施の形態２．
図６は、実施の形態２に係る通信装置としてのブロードバンドルータ２１の構成を概略的に示すブロック図である。ブロードバンドルータ２１は、図１に示される通信システムのブロードバンドルータ１に適用可能である。
【００５２】
実施の形態２に係るブロードバンドルータ２１は、局側ＩＦ部２１１が、無線モジュール１１ｂを有する点で実施の形態１に係るブロードバンドルータ１と異なり、その他の点は互いに同じである。したがって、実施の形態２において、実施の形態１で説明した要素と同一又は対応する要素には、実施の形態１で説明した要素と同じ符号を用いて説明する。
【００５３】
以下、実施の形態２に係るブロードバンドルータ２１の構成及び動作について、実施の形態１に係るブロードバンドルータ１の構成及び動作と異なる点を主に説明する。
【００５４】
ブロードバンドルータ２１は、通信部としての局側ＩＦ部２１１（ＷＡＮ側インターフェース）と、制御部１２と、電力供給部１３と、端末ＩＦ部１４と、スイッチ部１５とを有する。
【００５５】
局側ＩＦ部２１１は、災害発生時等に、救助信号を送信する少なくとも１つの救助信号送信モジュール（緊急信号送信モジュール）を有する。本実施の形態では、局側ＩＦ部２１１は、救助信号送信モジュールとして、光モジュール１１ａ及び無線モジュール１１ｂを有する。ただし、局側ＩＦ部２１１は、光モジュール１１ａを備えなくてもよい。本実施の形態では、局側ＩＦ部２１１（例えば、光モジュール１１ａ）は、光ファイバーケーブル５及び光クロージャ２を介して局側装置３と通信可能に接続されている。
【００５６】
無線モジュール１１ｂは、無線通信によって緊急信号（例えば、救助信号）を送信可能なモジュールである。例えば、無線モジュール１１ｂは、Ｂｌｕｅｔｏｏｔｈ（登録商標）機能を持つＢｌｕｅｔｏｏｔｈ（登録商標）モジュール又は無線ＬＡＮ機能を持つ無線ＬＡＮモジュールである。無線モジュール１１ｂは、救助信号を無線通信によってブロードバンドルータ２１の外部（局側）に送信することができる。
【００５７】
例えば、装置管理部１２ａは、無線モジュール１１ｂの設定を常時送信モードに設定し、電源回路１３ａの出力をオンオフ制御する。これにより、電源回路１３ａの出力のオンオフに応じて救助信号としての電波が生成される。
【００５８】
本実施の形態では、無線モジュール１１ｂから送信された救助信号としての電波は、スペクトルアナライザ又はスマートフォン等の緊急信号検出装置８によって受信され、救助信号（緊急情報）が検出される。すなわち、緊急信号検出装置８は、緊急信号送信システムにおいてブロードバンドルータ２１から送信された緊急信号を受信する緊急信号受信装置の１つとしても機能する。この場合、緊急信号送信システムは、光クロージャ２及び緊急信号検出装置８の少なくともいずれかと、ブロードバンドルータ１とを含む。
【００５９】
例えば、地震等の災害発生時に、災害救助隊が緊急信号検出装置８を用いて救助信号を検出することにより、災害救助隊は、救助信号の送信元である加入者宅１ａ内のユーザが救助を求めていることを認識することができる。無線モジュール１１ｂから送信される救助信号には、救助要求のためのメッセージが含まれることが望ましい。例えば、救助信号は、モールス信号及び遭難信号の少なくともいずれかを含むことが望ましい。救助信号に含まれる緊急情報には、ユーザ端末４から入力されたユーザ情報を含めることができる。
【００６０】
緊急モードにおいて、光モジュール１１ａ及び無線モジュール１１ｂのいずれか、又はその両方から救助信号が送信されるようにしてもよい。光モジュール１１ａ及び無線モジュール１１ｂから送信される救助信号は、互いに同じでもよく、異なっていてもよい。
【００６１】
制御部１２（例えば、装置管理部１２ａ）は、電力供給部１３（例えば、バッテリ１３ｃに蓄電された電力）による電力供給可能時間に応じて、光モジュール１１ａ及び無線モジュール１１ｂのいずれか、又はその両方から救助信号を送信させることができる。
【００６２】
例えば、制御部１２が、電力供給部１３による電力供給可能時間が予め定められた設定時間以上であると判断した場合、救助信号は、光モジュール１１ａ及び無線モジュール１１ｂの両方から送信される。これにより、加入者宅１ａの外部における救助信号の検出率を高めることができる。
【００６３】
さらに、制御部１２が、電力供給部１３による電力供給可能時間が予め定められた設定時間よりも短いと判断した場合、光モジュール１１ａ及び無線モジュール１１ｂのいずれかに救助信号を送信させることができる。これにより、光モジュール１１ａ及び無線モジュール１１ｂの両方から救助信号を送信する場合に比べて、バッテリ１３ｃの消費を抑えることができるので、より長時間にわたってバッテリ１３ｃを電源としてブロードバンドルータ１を駆動させることができる。
【００６４】
制御部１２（例えば、装置管理部１２ａ）は、バッテリ１３ｃに蓄電された電力量（残量）に応じて、光モジュール１１ａ及び無線モジュール１１ｂのいずれか、又はその両方から救助信号を送信させることもできる。
【００６５】
例えば、制御部１２が、バッテリ１３ｃに蓄電された電力量が予め定められた閾値以上であると判断した場合、救助信号は、光モジュール１１ａ及び無線モジュール１１ｂの両方から送信される。これにより、加入者宅１ａの外部における救助信号の検出率を高めることができる。
【００６６】
例えば、制御部１２が、バッテリ１３ｃに蓄電された電力量が予め定められた閾値よりも少ないと判断した場合、光モジュール１１ａ及び無線モジュール１１ｂのいずれかに救助信号を送信させることができる。これにより、光モジュール１１ａ及び無線モジュール１１ｂの両方から救助信号を送信する場合に比べて、バッテリ１３ｃの消費を抑えることができるので、より長時間にわたってバッテリ１３ｃを電源としてブロードバンドルータ１を駆動させることができる。
【００６７】
互いに異なる複数の救助信号（例えば、互いに異なるユーザ情報を含む救助信号）が送信されるときに、優先順位に応じて制御部１２（例えば、装置管理部１２ａ）が救助信号の送信順序を決定してもよい。例えば、緊急モードにおいて、ブロードバンドルータ１の電源としてバッテリ１３ｃを用いる場合、バッテリ１３ｃの電力残量に応じて、優先度の低い救助信号の送信を停止してもよい。優先度の低い救助信号の送信を停止することにより、優先度の高い救助信号の検出率を高めることができる。さらに、バッテリ１３ｃの消費を抑えることができるので、より長時間にわたってバッテリ１３ｃを電源としてブロードバンドルータ１を駆動させることができる。
【００６８】
実施の形態２に係るブロードバンドルータ２１によれば、局側ＩＦ部２１１が、光モジュール１１ａ及び無線モジュール１１ｂを有するので、実施の形態１に係るブロードバンドルータ１に比べて、ブロードバンドルータ２１の外部（例えば、災害救助隊）への緊急情報通知（救助信号などの緊急信号の伝達）の実現性を高めることができる。
【００６９】
変形例．
図７は、変形例に係るブロードバンドルータにおける制御部２２の構成を示すブロック図である。制御部２２は、実施の形態１及び２に係るブロードバンドルータ１及び２１における制御部１２に適用可能である。
【００７０】
制御部２２は、ＣＰＵ（Ｃｅｎｔｒａｌ  Ｐｒｏｃｅｓｓｉｎｇ  Ｕｎｉｔ）等のプロセッサ２２ａ、ＲＯＭ（Ｒｅａｄ  Ｏｎｌｙ  Ｍｅｍｏｒｙ）２２ｂ、及びＲＡＭ（Ｒａｎｄｏｍ  Ａｃｃｅｓｓ  Ｍｅｍｏｒｙ）２２ｃを有する。ＲＯＭ２２ｂにはブロードバンドルータ内の構成要素を制御するためのプログラム等が格納されている。ＲＡＭ２２ｃは、ＲＯＭ２２ｂに格納されたプログラム等をロードする記憶領域として用いられる。プロセッサ２２ａは、例えば、ＲＡＭ２２ｃにプログラムをロードしてプログラムを実行することにより、制御部２２の機能を実現する。例えば、実施の形態１及び２で説明した装置管理部１２ａ及びデータ転送部１２ｂの各々の機能は、プロセッサ２２ａがＲＯＭ２２ｂに格納されたプログラムを実行することにより、実現される。
【００７１】
以上に説明した各実施の形態における特徴及び変形例における特徴は、互いに適宜組み合わせることができる。
【符号の説明】
【００７２】
１，２１  ブロードバンドルータ、  １ａ  加入者宅、  ２  光クロージャ、  ３  局側装置、  ３ａ  通信事業者、  ４  ユーザ端末、  ５  光ファイバーケーブル、  ６  インターネット網、  ７  光回線網、  ８  緊急信号検出装置、  １１，２１１  局側ＩＦ部、  １１ａ  光モジュール、  １１ｂ  無線モジュール、  １２，２２  制御部、  １２ａ  装置管理部、  １２ｂ  データ転送部、  １３  電力供給部、  １３ａ  電源回路、  １３ｂ  電源ＩＦ部、  １３ｃ  バッテリ、  １４  端末ＩＦ部、  １５  スイッチ部。
【図１】
0006762105.tif 000002
【図２】
0006762105.tif 000003
【図３】
0006762105.tif 000004
【図４】
0006762105.tif 000005
【図５】
0006762105.tif 000006
【図６】
0006762105.tif 000007
【図７】
0006762105.tif 000008